(57)【特許請求の範囲】
【請求項１】
背を有し、上面を座面とする座の高さを、上下方向に複数段階に変更可能な椅子であって、
前記座面を、略水平か後方が下がるように取付でき、
前記座の高さの位置が低くなるほど、前記座面の傾斜角度が大きくなるようにするとともに、
前記椅子における座面の最前端から、背の前面における左右方向の中央線の延長線が座面と交わる位置までの距離が、前記座の高さの位置が高いほど、短くなるようにしたことを特徴とする椅子。
【請求項２】
背と、左右一対の側枠と、該両側枠間に設けられた座を有する椅子であって、
前記両側枠の前側部分には、前側の座取付穴を、上方に位置するものより下方に位置するものが前方に位置するように、上下方向に適宜間隔を有して、夫々複数設け、
前記両側枠の後側部分には、後側の座取付穴を上下方向に適宜間隔を有して、夫々複数設け、
前記座の前方部分の左右には、夫々１個の前側取付穴を設け、前記座の後方部分の左右には、後側取付穴を、前後方向に適宜間隔を有して、夫々複数設け、
前記側枠における１つの前側の座取付穴と、前記座の前側取付穴に対して取り外し可能に取り付けることが出来る前側の取付金具と、
前記側枠における１つの後側の座取付穴と、前記座における１つの後側取付穴に対して取り外し可能に取り付けることが出来る後側の取付金具を設け、
前記前側の取付金具と後側の取付金具を用いて、前記両側枠に対して座を取り付けることにより、
前記座の高さの位置が低くなるほど、前記座面の傾斜角度が大きくなるようにするとともに、
前記椅子における座面の最前端から、前記背の前面における左右方向の中央線の延長線が座面と交わる位置までの距離が、前記座の高さの位置が高いほど、短くなるようしたことを特徴とする請求項１記載の椅子。
【請求項３】
前記椅子は、一対の側枠を有し、該両側枠の夫々に、その上下方向に適宜間隔を有して複数の座取付穴を形成し、
座取付部と、前記側枠の座取付穴に嵌合できる円筒状の側枠取付部とを有する取付金具を用いて、
前記側枠取付部を前記座取付穴に嵌合させるとともに、その側枠取付部を前記側枠に対して取外し可能に固定し、前記取付金具の座取付部に対し、前記座を取外し可能に固定することにより、前記座の高さを複数の段階に変更可能としたことを特徴とする請求項１又は２記載の椅子。
【発明の詳細な説明】
【技術分野】
【０００１】
本発明は椅子に関するものである。
【背景技術】
【０００２】
従来、体格や好みに応じて座の高さを変更できる椅子として、左右の側部材の夫々の内側面に、座の左右側縁部を係止することができる係止溝を、側部材の上下方向に所定間隔有して複数設け、この係止溝に座の両側縁部を差し込んで係止させることにより、座の高さを任意の高さに取付けることができるものが知られている（特許文献１参照）。
【特許文献１】特開平８−１９４４５号公報
【発明の開示】
【発明が解決しようとする課題】
【０００３】
前記従来技術１の椅子においては、前記係止溝が、略水平方向で、かつ、側部材の前後方向全長に亘って形成されているため、座を水平状態としてしか側部材に取り付けることができない。
【０００４】
このため、この椅子に座って勉強や仕事などをしていると、臀部が痛くなったり、早く疲れてしまったりするため、長時間座っていることが難しいという問題がある。
【０００５】
また、座の両側部を溝に差し込んで係止させているだけのため、座の奥行きが決まり難いという問題がある。
【０００６】
また、使用中に座が前後方向に移動したり、椅子本体の緩み等により、座が落下する虞がある。
【０００７】
そこで、本発明は、上記問題点を解決した椅子を提供することを目的とするものである。
【課題を解決するための手段】
【０００８】
前記課題を解決するために、請求項１記載の発明は、背を有し、上面を座面とする座の高さを、上下方向に複数段階に変更可能な椅子であって、
前記座面を、略水平か後方が下がるように取付でき、
前記座の高さの位置が低くなるほど、前記座面の傾斜角度が大きくなるようにするとともに、
前記椅子における座面の最前端から、背の前面における左右方向の中央線の延長線が座面と交わる位置までの距離が、前記座の高さの位置が高いほど、短くなるようにしたことを特徴とするものである。
【０００９】
請求項２記載の発明は、請求項１記載の発明において、背と、左右一対の側枠と、該両側枠間に設けられた座を有する椅子であって、
前記両側枠の前側部分には、前側の座取付穴を、上方に位置するものより下方に位置するものが前方に位置するように、上下方向に適宜間隔を有して、夫々複数設け、
前記両側枠の後側部分には、後側の座取付穴を上下方向に適宜間隔を有して、夫々複数設け、
前記座の前方部分の左右には、夫々１個の前側取付穴を設け、前記座の後方部分の左右には、後側取付穴を、前後方向に適宜間隔を有して、夫々複数設け、
前記側枠における１つの前側の座取付穴と、前記座の前側取付穴に対して取り外し可能に取り付けることが出来る前側の取付金具と、
前記側枠における１つの後側の座取付穴と、前記座における１つの後側取付穴に対して取り外し可能に取り付けることが出来る後側の取付金具を設け、
前記前側の取付金具と後側の取付金具を用いて、前記両側枠に対して座を取り付けることにより、
前記座の高さの位置が低くなるほど、前記座面の傾斜角度が大きくなるようにするとともに、
前記椅子における座面の最前端から、前記背の前面における左右方向の中央線の延長線が座面と交わる位置までの距離が、前記座の高さの位置が高いほど、短くなるようしたことを特徴とするものである。
【００１１】
請求項３記載の発明は、請求項１又は２記載の発明において、前記椅子は、一対の側枠を有し、該両側枠の夫々に、その上下方向に適宜間隔を有して複数の座取付穴を形成し、
座取付部と、前記側枠の座取付穴に嵌合できる円筒状の側枠取付部とを有する取付金具を用いて、
前記側枠取付部を前記座取付穴に嵌合させるとともに、その側枠取付部を前記側枠に対して取外し可能に固定し、前記取付金具の座取付部に対し、前記座を取外し可能に固定することにより、前記座の高さを複数の段階に変更可能としたことを特徴とするものである。
【発明の効果】
【００１２】
本発明の椅子によれば、使用者の成長によるデスクにおける作業内容の変化に対応した座面の角度とすることができる。例えば、小学生時は、ほとんど勉強のみであるため、勉強に打ち込めるように身体が若干の前傾姿勢をとれる座面の角度にし、社会人になるほど、パソコンやその他様々な作業をするため、この作業に即した楽な姿勢となるように座面の角度を変化させることができる。そのため、疲れることなく、長時間椅子に座って作業をすることができる。
【００１３】
また、座の高さの位置が高いほど、座面の最前端が後方に位置するようにしたので、身長が低い時に使用する座の位置ほど、座面の奥行きを狭くし、身長が高くなるほど、座面の奥行きを広くして身長の変化に適応した座面の奥行とすることができる。
【００１４】
請求項３記載の発明によれば、更に、取付金具を用いて、該取付金具の側枠取付部を、側枠の座取付穴に嵌合させた後に、前記側枠取付部を前記側枠に対して取外し可能に固定し、前記取付金具の座取付部に対し座を取外し可能に固定するため、確実に側枠に対して座を取付けることができ、従来技術のように、座が落下する虞を低減できる。
【００１５】
また、側枠取付部を側枠に対して取り付けるボルト等が抜け落ちたとしても、円筒状の側枠取付部が、側枠の座取付穴に嵌合しているため、座が落下することを防止できる。
【発明を実施するための最良の形態】
【００１６】
本発明を実施するための最良の形態を図１乃至図１４に示す実施例に基づいて説明する。
【００１７】
本発明の実施例の椅子１は、図１に示すように、左右に一対の側枠２、２と、該側枠２、２間に設けられた座３と、背４と、足載せ５で構成されている。なお、以下、椅子１の使用者が座る側を前側、背側を後側、すなわち図１におけるＡ側を前側、Ｂ側を後側とし、また、図１における左側をＣ、右側をＤとして説明する。
【００１８】
前記左右の側枠２、２は、図３に示すように、第１側部材６と第２側部材７で構成され、第１側部材６は、下方から上方に向うほど、後側Ｂ方向に若干曲がるように形成されている。
【００１９】
前記第２側部材７は、図３に示すように、下側フレーム７ａと前側フレーム７ｂとで一連に形成され、該下側フレーム７ａの上部に前記第１側部材６の下端が固設されている。前記前側フレーム７ｂは、下方から上方に向うほど、後側Ｂ方向に傾斜するように湾曲して形成され、前記前側フレーム７ｂの上部は、前記第１側部材６に連結されている。
【００２０】
前記左右の前側フレーム７ｂ、７ｂの下部の夫々の内側面には、図１、図２に示すように、溝９が上下方向に任意の間隔で夫々４個形成されている。該溝９は、椅子１を図３に示すように設置した状態において、略水平方向となるように、かつ、前側フレーム７ｂの内側面と前後方向が開口して形成され、一方の前側フレーム７ｂの溝９と、他方の前側フレーム７ｂの溝９は、略同一の高さに対向して設けられている。
【００２１】
本実施例においては、前記各溝９に足載せ５を取付けた状態における該足載せ５の上面の床面からの高さＬ１が、９０ｍｍ、１６０ｍｍ、２３０ｍｍ、２９０ｍｍとなるような位置に溝９が形成されている。なお、この溝９の数、上下方向に隣接する溝９、９間の間隔、及び前側フレーム７ｂにおける溝９の位置、すなわち、溝９に取付けた足載せ５の上面５ａの床面からの高さＬ１は任意に設定することができる。
【００２２】
左右の４個の各溝９の側面９ａには、前側フレーム７ｂの左右方向に貫通する足載せ取付穴１１が、図１〜図３に示すように、夫々設けられている。
【００２３】
また、前記左右の各前側フレーム７ｂにおける足載せ取付穴１１より上方の湾曲部７ｃには、その前側フレーム７ｂの左右方向に貫通する座取付穴１３Ａが、上下方向に適宜間隔を有して夫々４個設けられている。該座取付穴１３Ａは、図３に示すように、上方の位置のものより下方の位置のものが前方に位置するように設定されている。なお、前記座取付穴１３Ａは複数であれば良く、その数は任意に設定することができ、また、上下方向に隣接する座取付穴１３Ａ、１３Ａ間の間隔も、後述する座３の高さに応じて任意に設定することができる。
【００２４】
前記第１側部材６、６の上部で、かつ、前記前側フレーム７ｂ、７ｂの上方の左右の第１側部材６、６の間には、図１〜図３に示すように、前記背４が固設されている。
【００２５】
前記左右の第１側部材６、６における背４の下方には、その第１側部材６、６の左右方向に貫通する座取付穴１３Ｂが、上下方向に適宜間隔を有して夫々４個形成されている。なお、前記座取付穴１３Ｂは、各第１側部材６に夫々複数形成すればよく、その数は任意に設定することができる。
【００２６】
前記前側フレーム７ｂの座取付穴１３Ａは、図７に示すように、前側フレーム７ｂにおいて、その左右方向に貫通して水平に形成され、前側フレーム７ｂの外側面７ｃ側の略半分は円筒状の小径部１３ａに、内側面７ｄ側の略半分は、前記小径部１３ａの内径より大きな内径を有する円筒状の大径部１３ｂに形成されている。なお、前記第１側部材６の座取付穴１３Ｂも前記座取付穴１３Ａと同様に形成されている。
【００２７】
前記下側フレーム７ａ、７ａ間には、棧１６が架設されている。
前記足載せ５は、その上面形状が左右方向に長い長方形となるように形成され、その長手方向（左右方向）の長さは、前記、左右の溝９、９の内側面９ａ、９ａ間の距離Ｌ２と同じが若干短く設定され、足載せ５の厚みは、溝９の上下方向の長さＬ３と同じか若干短く設定され、足載せ５の両端が両溝９、９に嵌合するようになっている。
【００２８】
該足載せ５の左右の両側端部には、図示しない取付穴が形成され、該取付穴内には雌ネジが設けられている。この足載せ５は、その左右の両端部を所定の左右の溝９、９に嵌入係合させた後に、左右の足載せ取付穴１１、１１内に、図示しないボルトを挿通し、このボルトを足載せ５の両端部の取付穴内の雌ネジに螺合することにより足載せ５を、側枠２、２に対し取外し可能に固定できるようになっている。
【００２９】
前記左右の側枠２、２間には、前記座３が配設され、該座３の左右方向の長さは、側枠２、２の内側面間の距離と同一か若干短く設定されている。前記座３は、その下部の左右両端部に、取付部材１５、１５を有し、該両取付部材１５、１５は、座３の前後方向の略全体に亘って設けられている。
【００３０】
前記左右の取付部材１５、１５には、図４に示すように、その上下方向に貫通する前側取付穴１６と後側取付穴１７が形成されている。該前側取付穴１６は、図４に示すように、左右の取付部材１５、１５の前方に位置して夫々１個設けられ、前記後側取付穴１７は、図４に示すように、左右の取付部材１５、１５の後方に位置して、前後方向に適宜間隔を有して夫々４個設けられている。なお、左右の取付部材１５、１５における前側取付穴１６、１６相互と後側取付穴１７、１７相互は、前後方向において同一位置に設定されている。また、前記後側取付穴１７は、各取付部材１５に夫々複数形成すればよく、その数は任意に設定することができる。
【００３１】
前記前側取付穴１６、後側取付穴１７内には、図７に示すように、雌ネジ１８が固設されている。該雌ネジ１８として、例えば、ドライブナットを使用することができる。
【００３２】
前記座３は、図７〜図１１に示す取付金具２０を用いて、両側枠２、２に対して取付けることができるようになっている。
【００３３】
前記取付金具２０は、座取付部２１と、基部２２と、側枠取付部２３とで一体的に形成されている。
【００３４】
前記座取付部２１は、図８、図９に示すように、板状に形成されているとともに、その略中央部において、その表裏に貫通する取付穴２１ａが形成されている。該取付穴２１ａは、図１０に示すように、長穴形状に形成され、その長手方向は、側枠取付部２３の軸方向と直交する方向、すなわち、座３の前後方向に形成されている。
【００３５】
前記基部２２は、図９に示すように、前記座取付部２１に対し直交する方向に折曲形成され、前記座取付部２１と基部２２とはＬ字状に一体形成されている。
【００３６】
前記基部２２には、該基部２２に対する座取付部２１の突出方向とは逆の方向に前記側枠取付部２３が突出して固設されている。該側枠取付部２３は、図８に示すように円筒状に形成され、該側枠取付部２３の中心部には、突出側が開口する有底状の雌ネジ２３ａが刻設されている。該側枠取付部２３の外径は、前記側枠２の座取付穴１３Ａ、１３Ｂの大径部１３ｂの内径と同じか若干小さく設定され、側枠取付部２３の軸方向の長さは、前記大径部１３ｂの軸方向の長さより短く設定されている。
【００３７】
前記足載せ取付穴１１、及び、座取付穴１３Ａ、１３Ｂに挿通されたボルト２６の頭部には、図１〜図３、図５に示すように、夫々、その頭部を被覆するボルトキャップ４０が設けられている。
【００３８】
次に、座３の側枠２、２に対する取付け方法について説明する。
先ず、図５、図７に示すように、取付金具２０を、その座取付部２１が上側に位置するようにして、所定の左右の側枠２の座取付穴１３Ａ、１３Ｂ、すなわち、左右の前側フレーム７ｂ、７ｂの座取付穴１３Ａ、１３Ａと、左右の第１側部材６、６の座取付穴１３Ｂ、１３Ｂの夫々の大径部１３ｂに前記取付金具２０の側枠取付部２３を嵌合し、ボルト２６を、左右の側枠２の外側方向から座取付穴１３Ａ、１３Ｂの小径部１３ａ内に挿通し、取付金具２０の側枠取付部２３の雌ネジ２３ａに螺合し、左右の側枠２、２に対して、夫々前後方向に２個、計４個の取付金具２０を、その側枠取付部２３が取外し可能にして固定する。
【００３９】
次に、前記各取付金具２０の座取付部２１の上面に、座３の左右の取付部材１５、１５を載置し、座取付部２１の取付穴２１ａと座取付部材１５における前側取付穴１６内にボルト２７を下側から挿通し、前側取付穴１６内の雌ネジ１８に螺合させ、更に、座取付部２１の取付穴２１ａと座取付部材１５における所定の後側取付穴１７内にボルト２７を下側から挿通し、後側取付穴１７内の雌ネジ１８に螺合させて、座３を、取付金具２０の座取付部２１に対して取外し可能に固定する。
【００４０】
これにより、座３を、左右の側枠２、２に対して取外し可能に取付できる。
また、上下方向における座取付穴１３Ａ、１３Ｂへの取付金具２０の取付位置を変更することにより、座３の高さを任意の高さに変更することができるようになっている。
【００４１】
なお、側枠２に対する、取付金具２０の側枠取付部２３を取外し可能に固定する手段、及び、座３に対する、取付金具２０の座取付部２１を取外し可能に固定する手段は、上記ボルトとナット以外にも任意の固定手段を用いることができる。
【００４２】
次に、本実施例における座３の高さ等について説明する。
前記座３を、図１２に示すように、左右の側枠２、２における最上位の位置の座取付穴１３Ａ、１３Ｂに対して取り付けた場合、すなわち、座３が最上位となる位置に取り付けた場合には、座３の上面（以下、座面ともいう）３ａは、図１、図２に示すように若干湾曲しているが、座面３ａの前後方向の水平面に対する角度（以下、座面３ａの傾斜角度という）が略０度、すなわち、座面３ａが略水平に、座面３ａの前方の高さが、その後方の高さと略同じに設定されている。また、座面３ａの左右方向の中央における最上位点から床面までの高さ（以下、座面３ａの高さともいう）が５２０ｍｍに設定され、背４の前面における左右方向の中央線の延長線が、座面３ａと交わる位置から座面３ａにおける最前端までの長さ（以下、座面３ａの奥行きともいう）が３１０ｍｍとなるように設定されている。
【００４３】
前記座３を、図１３に示すように、左右の側枠２、２における夫々の上から２つ目に位置する座取付穴１３Ａ、１３Ｂに対して取り付けた場合、すなわち、座３が２番目に高い位置となるように取付けた場合には、座面３ａは後方に向って下降し、座面３ａの傾斜角度θが１度、座面３ａの高さが４９０ｍｍ、座面３ａの奥行きが３５０ｍｍとなるように設定されている。
【００４４】
前記座３を、図１４に示すように、左右の側枠２、２における夫々の上から３つ目に位置する座取付穴１３Ａ、１３Ｂに対して取り付けた場合、すなわち、座３が３番目に高い位置となるように取付けた場合には、座面３ａは後方に向って下降し、座面３ａの傾斜角度θが２度、座面３ａの高さが４６０ｍｍ、座面３ａの奥行きが３７０ｍｍとなるように設定されている。
【００４５】
前記座３を、図３に示すように、左右の側枠２、２における夫々の上から４つ目に位置する座取付穴１３Ａ、１３Ｂに対して取り付けた場合、すなわち、座３が最下位の位置となるように取付けた場合には、座面３ａは後方に向って下降し、座面３ａの傾斜角度θが３度、座面３ａの高さが４３０ｍｍ、座面３ａの奥行きが３９０ｍｍとなるように設定されている。
【００４６】
以上のように、前記座面３ａは、座３が最上位に位置する場合においては、座面３ａは略水平であり、座面３ａ傾斜角度θが略０度、すなわち、座面３ａの前方の高さが、その後方の高さと略同じであるが、座３を最上位から１段下げるごとに、座面３ａの左右の両端部で形成される面の水平面に対する角度（座面３ａの傾斜角度）が大きくなるように設定されている。すなわち、前記座３の高さの位置が低くなるほど、座面３ａの後方が下がるとともに、座面３ａの傾斜角度θが１度、２度、３度と徐々に大きくなる。
【００４７】
また、前記前側フレーム７ｂにおける座取付穴１３Ａの位置が、上側ほど後方に、下側ほど前方に位置するように設定され、その座取付穴１３Ａの位置に、前側取付穴１６を対応させて座３を取付けるため、前記座３の高さの位置が高いほど座面３ａの奥行きが狭くなる。すなわち、前記椅子１における座３の最前端の位置が、座３の高さの位置が高いほど、後方に位置するように設定されている。
【００４８】
以上の構成により、本発明の実施例の椅子１は、次のような作用、効果を発揮する。
前記座面３ａは、前記座３の高さの位置が低くなるほど、座面３ａの傾斜角度θが大きくなるように設定されていることにより、使用者の成長によるデスクにおける作業内容の変化に対応した座面の角度とすることができる。例えば、小学生時は、ほとんど勉強のみであるため勉強に打ち込めるよう身体の若干の前傾姿勢がとれる座面３ａの傾斜角度に、社会人になるほど、パソコンやその他様々な作業をする際に楽な姿勢となる座面３ａの傾斜角度に設定することができる。
【００４９】
また、前記椅子１における座面３ａの最前端の位置が、前記座３の高さの位置が高いほど、後方に位置する。すなわち、使用者の身長が低い時ほど、座面３ａの奥行きが狭くなり、座面３ａの奥行きを、身長の変化に適応させることができる。
【００５０】
人間工学においては、ダイニングテーブルやデスクの高さに対する適正な椅子の座面の高さは、差尺（＝テーブルの天板の上面の高さ−椅子の座面の高さ）を用いて導き出され、
読書をする場合の椅子の座面の高さは、デスク差尺  ＝  座高  ×  １／３となる高さが良いとされ、
筆記をする場合の椅子の座面の高さは、デスク差尺  ＝  座高  ×  １／３  −  ２〜３ｃｍとなる高さが良いとされている。
【００５１】
図３に示すように、座３を最下段に位置して取付けた場合の座面の高さは４３０ｍｍであるので、高校生〜大人の平均的な身長である身長１７００ｍｍの人にとって、天板上面の高さが７２３ｍｍであるデスクに対し、
差尺＝（７２３−４３０）≒（１７００×０．５５×１／３−２０）
となり、最適な座面３ａの高さとすることができるようになっている。
【００５２】
図１４に示すように、座３を２番目に低い位置に取付けた場合の座面３ａの高さは４６０ｍｍであるので、中学生の平均的な身長である身長１５５０ｍｍの人にとって、天板上面の高さが７２３ｍｍであるデスクに対し、
差尺＝（７２３−４６０）≒（１５５０×０．５５×１／３−２０）
となり、最適な座面３ａの高さとすることができるようになっている。
【００５３】
図１３に示すように、座３を３番目に低い位置に取付けた場合の座面３ａの高さは４９０ｍｍであるので、小学校高学年の平均的な身長である身長１３５０ｍｍの人にとって、天板上面の高さが７２３ｍｍであるデスクに対し、
差尺＝（７２３−４９０）≒（１３５０×０．５５×１／３−２０）
となり、最適な座面３ａの高さとすることができるようになっている。
【００５４】
図１２に示すように、座３を最上位の高さの位置に取付けた場合の座面３ａの高さは５２０ｍｍであるので、小学一年生の平均的な身長である身長１２００ｍｍの人にとって、天板上面の高さが７２３ｍｍであるデスクに対し、
差尺＝（７２３−５２０）≒（１２００×０．５５×１／３−２０）
となり、最適な座面３ａの高さとすることができるようになっている。
【００５５】
また、図１２に示すように、座３を最上位の高さの位置に取付けた場合の座面３ａの高さは５２０ｍｍであるので、三歳児の平均的な身長である身長９５０ｍｍの人にとって、天板上面の高さが６９０ｍｍである食堂用テーブルに対し、
差尺＝（６９０−５２０）≒（９５０×０．５５×１／３）
となり、最適な座面３ａの高さとすることができるようになっている。
【００５６】
このように、本発明の実施例の椅子１は、テーブルの天板上面の高さが一定のものに対し、身長の変化に対応して、座面３ａの高さを変えることができる。
【００５７】
また、取付金具２０を用いて、側枠取付部２３を側枠２の座取付穴１３に嵌合させた後に、前記側枠取付部２３を前記側枠に対してボルト２６等の固定手段により取外し可能に固定し、取付金具２０の座取付部２１に対し、座３をボルト２７等の固定手段により取外し可能に固定するため、確実に両側枠２、２に対して座３を取付けることができ、座３が落下する虞を低減できる。
【００５８】
また、取付金具２０における円筒状の側枠取付部２３を、側枠２の座取付穴１３に嵌合させた後に、前記側枠取付部２３を前記側枠に対してボルト２６等の固定手段により取外し可能に固定するため、仮にこのボルト２６等が抜け落ちたとしても、円筒状の側枠取付部２３が、座取付穴１３に嵌合し続けているため、座３が落下することを防止できる。
【００５９】
また、取付金具２０の座取付部２１の上部に、座３を載置した後に、下側からボルト等の固定手段により固定するため、ボルト２７等が抜け落ちたとしても、座３は、取付金具２０の座取付部２１上に位置するため、座３が落下することを防止できる。
【図面の簡単な説明】
【００６０】
【図１】本発明の実施例における椅子を示すもので、座を最下位に位置させた状態の斜視図。
【図２】図１の正面図。
【図３】図１の側面図。
【図４】図１の状態から棧と足載せ、取付金具を取り除いた状態の下面図。
【図５】図１の椅子の分解状態を示す下側から見た斜視図。
【図６】図５における座の取付部の拡大図。
【図７】図２における座の取付部の拡大部分断面図。
【図８】本発明の実施例に用いる取付金具の斜視図。
【図９】図８の側面図。
【図１０】図８の下面図。
【図１１】図１０のＥ−Ｅ線断面図。
【図１２】座を最上位に位置させた状態の椅子の側面図。
【図１３】座を最上位から２番目の高さに位置させた状態の椅子の側面図。
【図１４】座を最上位から３番目の高さに位置させた状態の椅子の側面図。
【符号の説明】
【００６１】
１  椅子
２  側枠
３  座
３ａ  座面
１３Ａ、１３Ｂ  座取付穴
２０  取付金具
２１  座取付部
２３  側枠取付部
θ  座面の傾斜角度
【図１】
0005420861.tif 000002
【図２】
0005420861.tif 000003
【図３】
0005420861.tif 000004
【図４】
0005420861.tif 000005
【図５】
0005420861.tif 000006
【図６】
0005420861.tif 000007
【図７】
0005420861.tif 000008
【図８】
0005420861.tif 000009
【図９】
0005420861.tif 000010
【図１０】
0005420861.tif 000011
【図１１】
0005420861.tif 000012
【図１２】
0005420861.tif 000013
【図１３】
0005420861.tif 000014
【図１４】
0005420861.tif 000015